(57)【特許請求の範囲】
【請求項１】
放送番組を受信する放送受信手段と、
それぞれが異なる暗号鍵で暗号化された複数のコンテンツを蓄積する記憶手段と、
前記放送番組の受信前に、前記放送番組でオンエア予定のコンテンツと該コンテンツの放送予定時刻とを特定した放送番組情報を入手する放送情報入手手段と、
前記放送番組情報にて特定されたコンテンツが前記記憶手段に蓄積されているか否かを検索する検索手段と、
管理サーバが送信した復号鍵を受信する復号鍵受信手段と、
前記復号鍵受信手段により受信した前記復号鍵を用いて前記コンテンツの復号化を行う復号化手段と、
前記復号化手段により復号化された前記コンテンツを、前記放送番組情報に基づいて、前記放送番組と同期させて再生するコンテンツ再生手段と、
前記検索手段による検索の結果、前記放送番組情報にて特定されたコンテンツが前記記憶手段に存在しないときに、どの媒体によってそのコンテンツを取得するかをユーザに選択させる選択手段と、
前記放送番組情報にて特定されたコンテンツが前記記憶手段に存在せず、取得もされない場合には、前記コンテンツ再生に代えて前記放送受信手段により受信された放送を再生する放送再生手段と、
を有することを特徴とする情報再生装置。
【請求項２】
放送番組を受信する放送受信手段と、
それぞれが異なる暗号鍵で暗号化された複数のコンテンツ、及び前記複数のコンテンツのうちユーザが購入済みのコンテンツに対応する復号鍵を蓄積する記憶手段と、
前記放送番組の受信前に、前記放送番組でオンエア予定のコンテンツと該コンテンツの放送予定時刻とを特定した放送番組情報を入手する放送情報入手手段と、
前記放送番組情報にて特定されたコンテンツであって前記記憶手段に蓄積されており、かつ、そのコンテンツの復号鍵を未取得であるものを検索する検索手段と、
前記検索手段により検索されたコンテンツの復号鍵の配信を管理サーバに要求する要求手段と、
前記管理サーバが前記要求に応答して送信した復号鍵を受信する復号鍵受信手段と、
前記復号鍵受信手段により受信した前記復号鍵を用いて、前記検索手段により検索された前記コンテンツの復号化を行う復号化手段と、
前記復号化手段により復号化された前記コンテンツを、前記放送番組情報に基づいて、前記放送番組の情報と同期させて再生するコンテンツ再生手段と、
を有することを特徴とする情報再生装置。
【請求項３】
前記復号鍵受信手段は、前記放送受信手段による前記放送番組を受信中に、その放送番組で前記オンエア予定のコンテンツがオンエアされるタイミングに同期して、前記管理サーバから前記復号鍵を受信することを特徴とする請求項１または２に記載の情報再生装置。
【請求項４】
前記検索手段は、一日以上先の所定期間分の放送でオンエア予定のコンテンツであって前記記憶手段に蓄積されているものをまとめて検索することを特徴とする請求項１から３までのいずれかに記載の情報再生装置。
【請求項５】
前記選択手段によってユーザが選択をした場合に、前記放送番組のオンエア前に、当該コンテンツを取得して、前記記憶手段に追加的に記憶する手段を更に有することを特徴とする請求項１に記載の情報再生装置。
【請求項６】
前記記憶手段の記憶可能残量が所定値以下となった場合に、前記記憶手段に記憶されているコンテンツで再生回数がしきい値に満たないものを削除する手段を更に有することを特徴とする請求項５に記載の情報再生装置。
【請求項７】
前記要求手段は、前記再生手段による前記コンテンツの再生中において、当該コンテンツの再生をより長期間許可する復号鍵の配信を管理サーバにさらに要求することが可能に構成されていることを特徴とする請求項２に記載の情報再生装置。
【請求項８】
放送番組を受信する放送受信手段と、それぞれが異なる暗号鍵で暗号化された複数のコンテンツを蓄積する記憶手段とを備える情報再生装置の制御方法であって、
前記放送番組の受信前に、前記放送番組でオンエア予定のコンテンツと該コンテンツの放送予定時刻とを特定した放送番組情報を入手する放送情報入手ステップと、
前記放送番組情報にて特定されたコンテンツが前記記憶手段に蓄積されているか否かを検索する検索ステップと、
管理サーバが送信した復号鍵を受信する復号鍵受信ステップと、
前記復号鍵受信ステップで受信した前記復号鍵を用いて前記コンテンツの復号化を行う復号化ステップと、
前記復号化ステップで復号化された前記コンテンツを、前記放送番組情報に基づいて、前記放送番組と同期させて再生するコンテンツ再生ステップと、
前記検索ステップでの検索の結果、前記放送番組情報にて特定されたコンテンツが前記記憶手段に存在しないときに、どの媒体によってそのコンテンツを取得するかをユーザに選択させる選択ステップと、
前記放送番組情報にて特定されたコンテンツが前記記憶手段に存在せず、取得もされない場合には、前記コンテンツ再生に代えて前記放送受信手段により受信された放送を再生する放送再生ステップと、
を有することを特徴とする情報再生装置の制御方法。
【請求項９】
放送番組を受信する放送受信手段と、それぞれが異なる暗号鍵で暗号化された複数のコンテンツ、及び前記複数のコンテンツのうちユーザが購入済みのコンテンツに対応する復号鍵を蓄積する記憶手段とを備える情報再生装置の制御方法であって、
前記放送番組の受信前に、前記放送番組でオンエア予定のコンテンツと該コンテンツの放送予定時刻とを特定した放送番組情報を入手する放送情報入手ステップと、
前記放送番組情報にて特定されたコンテンツであって前記記憶手段に蓄積されており、かつ、そのコンテンツの復号鍵を未取得であるものを検索する検索ステップと、
前記検索ステップで検索されたコンテンツの復号鍵の配信を管理サーバに要求する要求ステップと、
前記管理サーバが前記要求に応答して送信した復号鍵を受信する復号鍵受信ステップと、
前記復号鍵受信ステップで受信した前記復号鍵を用いて、前記検索ステップで検索された前記コンテンツの復号化を行う復号化ステップと、
前記復号化ステップで復号化された前記コンテンツを、前記放送番組情報に基づいて、前記放送番組の情報と同期させて再生するコンテンツ再生ステップと、
を有することを特徴とする情報再生装置の制御方法。
【請求項１０】
放送番組を受信する放送受信手段と、それぞれが異なる暗号鍵で暗号化された複数のコンテンツを蓄積する記憶手段とを備える情報再生装置を制御するための制御プログラムであって、
前記放送番組の受信前に、前記放送番組でオンエア予定のコンテンツと該コンテンツの放送予定時刻とを特定した放送番組情報を入手する放送情報入手ステップと、
前記放送番組情報にて特定されたコンテンツが前記記憶手段に蓄積されているか否かを検索する検索ステップと、
管理サーバが送信した復号鍵を受信する復号鍵受信ステップと、
前記復号鍵受信ステップで受信した前記復号鍵を用いて前記コンテンツの復号化を行う復号化ステップと、
前記復号化ステップで復号化された前記コンテンツを、前記放送番組情報に基づいて、前記放送番組と同期させて再生するコンテンツ再生ステップと、
前記検索ステップでの検索の結果、前記放送番組情報にて特定されたコンテンツが前記記憶手段に存在しないときに、どの媒体によってそのコンテンツを取得するかをユーザに選択させる選択ステップと、
前記放送番組情報にて特定されたコンテンツが前記記憶手段に存在せず、取得もされない場合には、前記コンテンツ再生に代えて前記放送受信手段により受信された放送を再生する放送再生ステップと、
を前記情報再生装置に実行させるためのプログラムコードを含むことを特徴とする制御プログラム。
【請求項１１】
放送番組を受信する放送受信手段と、それぞれが異なる暗号鍵で暗号化された複数のコンテンツ、及び前記複数のコンテンツのうちユーザが購入済みのコンテンツに対応する復号鍵を蓄積する記憶手段とを備える情報再生装置を制御するための制御プログラムであって、
前記放送番組の受信前に、前記放送番組でオンエア予定のコンテンツと該コンテンツの放送予定時刻とを特定した放送番組情報を入手する放送情報入手ステップと、
前記放送番組情報にて特定されたコンテンツであって前記記憶手段に蓄積されており、かつ、そのコンテンツの復号鍵を未取得であるものを検索する検索ステップと、
前記検索ステップで検索されたコンテンツの復号鍵の配信を管理サーバに要求する要求ステップと、
前記管理サーバが前記要求に応答して送信した復号鍵を受信する復号鍵受信ステップと、
前記復号鍵受信ステップで受信した前記復号鍵を用いて、前記検索ステップで検索された前記コンテンツの復号化を行う復号化ステップと、
前記復号化ステップで復号化された前記コンテンツを、前記放送番組情報に基づいて、前記放送番組の情報と同期させて再生するコンテンツ再生ステップと、
を前記情報再生装置に実行させるためのプログラムコードを含むことを特徴とする制御プログラム。
【発明の詳細な説明】
【技術分野】
【０００１】
本発明は、音楽コンテンツなどの情報を再生する技術に関し、特に、放送の受信と音楽コンテンツの再生とを融合した新たな情報再生技術に関する。
【背景技術】
【０００２】
現在、カーナビゲーション装置などの車載機においては、通信機能を搭載する方向で開発が進められている。たとえばカーナビゲーション装置の場合、通信機能を利用した最新の地図データの配信といったサービスを受けることが可能になる。このように自動車が通信機能を備えることで、今後さまざまなサービスの展開が見込まれている。
【０００３】
通信機能を利用した快適なサービスの実現には、今後の無線通信インフラの整備が不可欠である。具体的には、通信の高速化、常時接続、定額料金の実現が欠かせない。これらは、自動料金収受システム（ＥＴＣ）に利用されている狭域通信（ＤＳＲＣ）や第３世代携帯電話システム、無線ＬＡＮなどによって現実のものとなりつつある。
【０００４】
ところで近年では、電気通信回線を利用した音楽配信が普及しつつある。ただし現状では、ＦＴＴＨやＣＡＴＶ、ｘＤＳＬなどの有線通信基盤が前提であり、自動車に適用される移動体通信システムは、上記のように高速化などが進んだとはいえ、音楽コンテンツの流通基盤としては未だ十分とはいえない状況である。
【０００５】
また、音楽配信においては、コンテンツの不正な流通を防止するための著作権保護技術が欠かせない。しかし現在では、著作権保護を強固にするほどユーザの利便性が抑えられる結果を生じており、通信速度の向上がそのままユーザの利便性向上になっているわけではない。
【０００６】
カセットテープやＣＤの聴取が主流であったカーオーディオの分野でも、著作権保護技術を組み込んだ音楽配信サービスの導入が始まっている。ただし、上記のような観点から、楽曲データ自体を配信することはせず、それぞれが暗号化された多数の楽曲データをハードディスクにプリインストールしておき、その中からユーザが購入を求めた楽曲について、復号鍵（ライセンスキー）を配信する仕組みとなっている（たとえば、特許文献１，２参照。）。この場合、ユーザが聴くとはかぎらない楽曲までもハードディスクに記憶されることになりこの点では無駄が多いが、近年のハードディスクの大容量化、低価格化を考えると、現実的な対応であるといえる。
【特許文献１】特開２００３−３３１１４０号公報
【特許文献２】特開２００３−３３０４７４号公報
【発明の開示】
【発明が解決しようとする課題】
【０００７】
上記のとおり、現在のカーオーディオの分野でも通信機能を利用した音楽配信サービスの導入が進みつつあり、利便性は大きく向上している。
【０００８】
一方、ラジオ放送の分野でもデジタル放送などの新たな技術開発が進んでいる。しかし、場所によって受信感度低下による音質劣化を生じるという従来からの問題は、依然として残っている。
【０００９】
そこで本発明は、通信媒体を介したコンテンツ配信サービスを利用して、放送の高品質化を実現することを目的とする。
【課題を解決するための手段】
【００１０】
本発明の一側面に係る情報再生装置は、放送番組を受信する放送受信手段と、それぞれが異なる暗号鍵で暗号化された複数のコンテンツを蓄積する記憶手段と、前記放送番組の受信前に、前記放送番組でオンエア予定のコンテンツと該コンテンツの放送予定時刻とを特定した放送番組情報を入手する放送情報入手手段と、前記放送番組情報にて特定されたコンテンツが前記記憶手段に蓄積されているか否かを検索する検索手段と、管理サーバが送信した復号鍵を受信する復号鍵受信手段と、前記復号鍵受信手段により受信した前記復号鍵を用いて前記コンテンツの復号化を行う復号化手段と、前記復号化手段により復号化された前記コンテンツを、前記放送番組情報に基づいて、前記放送番組と同期させて再生するコンテンツ再生手段と、前記検索手段による検索の結果、前記放送番組情報にて特定されたコンテンツが前記記憶手段に存在しないときに、どの媒体によってそのコンテンツを取得するかをユーザに選択させる選択手段と、前記放送番組情報にて特定されたコンテンツが前記記憶手段に存在せず、取得もされない場合には、前記コンテンツ再生に代えて前記放送受信手段により受信された放送を再生する放送再生手段とを有することを特徴とする。
【００１１】
この構成によれば、放送番組の進行に合わせて、電波の受信感度低下などの影響を受けない高品質なコンテンツの再生を実現できる。
【００１２】
本発明の別の側面に係る情報再生装置は、放送番組を受信する放送受信手段と、それぞれが異なる暗号鍵で暗号化された複数のコンテンツ、及び前記複数のコンテンツのうちユーザが購入済みのコンテンツに対応する復号鍵を蓄積する記憶手段と、前記放送番組の受信前に、前記放送番組でオンエア予定のコンテンツと該コンテンツの放送予定時刻とを特定した放送番組情報を入手する放送情報入手手段と、前記放送番組情報にて特定されたコンテンツであって前記記憶手段に蓄積されており、かつ、そのコンテンツの復号鍵を未取得であるものを検索する検索手段と、前記検索手段により検索されたコンテンツの復号鍵の配信を管理サーバに要求する要求手段と、前記管理サーバが前記要求に応答して送信した復号鍵を受信する復号鍵受信手段と、前記復号鍵受信手段により受信した前記復号鍵を用いて、前記検索手段により検索された前記コンテンツの復号化を行う復号化手段と、前記復号化手段により復号化された前記コンテンツを、前記放送番組情報に基づいて、前記放送番組の情報と同期させて再生するコンテンツ再生手段とを有することを特徴とする。
【００１３】
この構成によれば、必要最低限の復号鍵だけを受信して、放送番組の進行に合わせて、電波の受信感度低下などの影響を受けない高品質なコンテンツの再生を実現できる。
【００１４】
本発明の好適な実施形態によれば、前記復号鍵受信手段は、前記放送受信手段による前記放送番組を受信中に、その放送番組で前記オンエア予定のコンテンツがオンエアされるタイミングに同期して、前記管理サーバから前記復号鍵を受信することが好ましい。
【００１５】
このような構成によっても同様に、放送番組の進行に合わせて、電波の受信感度低下などの影響を受けない高品質なコンテンツの再生を実現できる。
【００１６】
本発明の好適な実施形態によれば、前記検索手段は、一日以上先の所定期間分の放送でオンエア予定のコンテンツであって前記記憶手段に蓄積されているものをまとめて検索することが好ましい。
【００１７】
この構成によっても同様の効果を得ることができる。
【００１８】
本発明の好適な実施形態によれば、前記選択手段よってユーザが選択をした場合に、前記放送番組のオンエア前に、当該コンテンツを取得して、前記記憶手段に追加的に記憶する手段を更に有することが好ましい。
【００１９】
この構成によれば、記憶手段に記憶されていないコンテンツを事前に追加することが可能になる。
【００２０】
本発明の好適な実施形態によれば、前記記憶手段の記憶可能残量が所定値以下となった場合に、前記記憶手段に記憶されているコンテンツで再生回数がしきい値に満たないものを削除する手段を更に有することが好ましい。
【００２１】
この構成によれば、記憶手段の記憶容量不足に対応することができる。
【００２２】
本発明の好適な実施形態によれば、前記要求手段は、前記再生手段による前記コンテンツの再生中において、当該コンテンツの再生をより長期間許可する復号鍵の配信を管理サーバにさらに要求することが可能に構成されていることが好ましい。
【００２３】
この構成によれば、たとえば放送番組によって知ることができた新曲の購入をいち早いタイミングで、試聴しながら決定することができる。
【００２４】
本発明のさらに別の側面は、放送番組を受信する放送受信手段と、それぞれが異なる暗号鍵で暗号化された複数のコンテンツを蓄積する記憶手段とを備える情報再生装置の制御方法に関する。この制御方法は、前記放送番組の受信前に、前記放送番組でオンエア予定のコンテンツと該コンテンツの放送予定時刻とを特定した放送番組情報を入手する放送情報入手ステップと、前記放送番組情報にて特定されたコンテンツが前記記憶手段に蓄積されているか否かを検索する検索ステップと、管理サーバが送信した復号鍵を受信する復号鍵受信ステップと、前記復号鍵受信ステップで受信した前記復号鍵を用いて前記コンテンツの復号化を行う復号化ステップと、前記復号化ステップで復号化された前記コンテンツを、前記放送番組情報に基づいて、前記放送番組と同期させて再生するコンテンツ再生ステップと、前記検索ステップでの検索の結果、前記放送番組情報にて特定されたコンテンツが前記記憶手段に存在しないときに、どの媒体によってそのコンテンツを取得するかをユーザに選択させる選択ステップと、前記放送番組情報にて特定されたコンテンツが前記記憶手段に存在せず、取得もされない場合には、前記コンテンツ再生に代えて前記放送受信手段により受信された放送を再生する放送再生ステップとを有することを特徴とする。
【００２５】
この構成によれば、放送番組の進行に合わせて、電波の受信感度低下などの影響を受けない高品質なコンテンツの再生を実現できる。
【００２６】
本発明の更に別の側面は、放送番組を受信する放送受信手段と、それぞれが異なる暗号鍵で暗号化された複数のコンテンツ、及び前記複数のコンテンツのうちユーザが購入済みのコンテンツに対応する復号鍵を蓄積する記憶手段とを備える情報再生装置の制御方法に係り、前記放送番組の受信前に、前記放送番組でオンエア予定のコンテンツと該コンテンツの放送予定時刻とを特定した放送番組情報を入手する放送情報入手ステップと、前記放送番組情報にて特定されたコンテンツであって前記記憶手段に蓄積されており、かつ、そのコンテンツの復号鍵を未取得であるものを検索する検索ステップと、前記検索ステップで検索されたコンテンツの復号鍵の配信を管理サーバに要求する要求ステップと、前記管理サーバが前記要求に応答して送信した復号鍵を受信する復号鍵受信ステップと、前記復号鍵受信ステップで受信した前記復号鍵を用いて、前記検索ステップで検索された前記コンテンツの復号化を行う復号化ステップと、前記復号化ステップで復号化された前記コンテンツを、前記放送番組情報に基づいて、前記放送番組の情報と同期させて再生するコンテンツ再生ステップとを有することを特徴とする。
【００２７】
この構成によれば、必要最低限の復号鍵だけを受信して、放送番組の進行に合わせて、電波の受信感度低下などの影響を受けない高品質なコンテンツの再生を実現できる。
【００２８】
本発明の更に別の側面は、放送番組を受信する放送受信手段と、それぞれが異なる暗号鍵で暗号化された複数のコンテンツを蓄積する記憶手段とを備える情報再生装置を制御するための制御プログラムに関する。この制御プログラムは、前記放送番組の受信前に、前記放送番組でオンエア予定のコンテンツと該コンテンツの放送予定時刻とを特定した放送番組情報を入手する放送情報入手ステップと、前記放送番組情報にて特定されたコンテンツが前記記憶手段に蓄積されているか否かを検索する検索ステップと、管理サーバが送信した復号鍵を受信する復号鍵受信ステップと、前記復号鍵受信ステップで受信した前記復号鍵を用いて前記コンテンツの復号化を行う復号化ステップと、前記復号化ステップで復号化された前記コンテンツを、前記放送番組情報に基づいて、前記放送番組と同期させて再生するコンテンツ再生ステップと、前記検索ステップでの検索の結果、前記放送番組情報にて特定されたコンテンツが前記記憶手段に存在しないときに、どの媒体によってそのコンテンツを取得するかをユーザに選択させる選択ステップと、前記放送番組情報にて特定されたコンテンツが前記記憶手段に存在せず、取得もされない場合には、前記コンテンツ再生に代えて前記放送受信手段により受信された放送を再生する放送再生ステップとを前記情報再生装置に実行させるためのプログラムコードを含むことを特徴とする。
【００２９】
この構成によれば、放送番組の進行に合わせて、電波の受信感度低下などの影響を受けない高品質なコンテンツの再生を実現できる。
【００３０】
本発明の更に別の側面は、放送番組を受信する放送受信手段と、それぞれが異なる暗号鍵で暗号化された複数のコンテンツ、及び前記複数のコンテンツのうちユーザが購入済みのコンテンツに対応する復号鍵を蓄積する記憶手段とを備える情報再生装置を制御するための制御プログラムに係り、前記放送番組の受信前に、前記放送番組でオンエア予定のコンテンツと該コンテンツの放送予定時刻とを特定した放送番組情報を入手する放送情報入手ステップと、前記放送番組情報にて特定されたコンテンツであって前記記憶手段に蓄積されており、かつ、そのコンテンツの復号鍵を未取得であるものを検索する検索ステップと、前記検索ステップで検索されたコンテンツの復号鍵の配信を管理サーバに要求する要求ステップと、前記管理サーバが前記要求に応答して送信した復号鍵を受信する復号鍵受信ステップと、前記復号鍵受信ステップで受信した前記復号鍵を用いて、前記検索ステップで検索された前記コンテンツの復号化を行う復号化ステップと、前記復号化ステップで復号化された前記コンテンツを、前記放送番組情報に基づいて、前記放送番組の情報と同期させて再生するコンテンツ再生ステップとを前記情報再生装置に実行させるためのプログラムコードを含むことを特徴とする。
【００３１】
この構成によれば、必要最低限の復号鍵だけを受信して、放送番組の進行に合わせて、電波の受信感度低下などの影響を受けない高品質なコンテンツの再生を実現できる。
【発明の効果】
【００３２】
本発明によれば、ハードディスク等の記憶手段に記憶されているコンテンツを利用して放送されるコンテンツを高音質で提供することが可能になる。
【発明を実施するための最良の形態】
【００３３】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【００３４】
図１は、本実施形態に係る情報再生システムの全体構成を示す図である。
【００３５】
この情報再生システムは、たとえば地上波デジタル放送を行う放送局１００と、モバイル無線アクセスを実現する移動通信網３００の２つの通信基盤を有する。放送局１００は、たとえば地上波デジタルラジオ放送を行うラジオ放送局であり、放送する番組のコンテンツを備える放送局サーバ１０１と、デジタル変調された放送波を送信する放送アンテナ１０２を備える。この放送に係るデジタル変調には、たとえば直交周波数分割多重（OFDM: Orthogonal Frequency Division Multiplexing）変調方式が使用される。一方の移動通信網３００は、たとえば第３世代移動通信システムで構成され、ここでは、異なる複数の周波数のキャリアを収容するＷ−ＣＤＭＡ（Wide band-Code Division Multiple Access）方式が適用される。
【００３６】
音楽配信サービスを提供するコンテンツプロバイダ２００は、楽曲コンテンツを蓄積するとともにそのコンテンツの配信制御を行うコンテンツサーバ（管理サーバ）２１０と、このコンテンツサーバ２１０と接続され、音楽配信サービスの提供を受けるユーザの課金情報を管理する課金サーバ２５０とで構成されている。また、コンテンツサーバ２１０と放送局サーバ１０１とは相互に接続されており、両者に蓄積される楽曲コンテンツが連動して同じになるように構成されている。コンテンツサーバ２１０は、さらに移動通信網３００に接続されている。
【００３７】
ＢＳ３０１は移動通信網３００に収容される基地局である。また、自動車４００は、移動局（ＭＳ）としての車載機４１０を搭載しており、現在、基地局３０１のサービスエリア３０２内に位置している。車載機４１０は、基地局３０１と通信するための第１アンテナ４２０と、放送アンテナ１０２からのＯＦＤＭ放送波を受信するための第２アンテナ４３０を備えている。なお、移動通信網３００は通常、多数の基地局を収容しうるが、ここでは代表的に１つの基地局３０１だけが示されていることに留意されたい。同様に、移動局となる自動車も複数存在しうるが、ここでは代表的に１つの自動車４００だけが示されていることに留意されたい。
【００３８】
図２は、車載機４１０の構成を示すブロック図である。
【００３９】
車載機４１０は、図示の如く、車載機全体の制御を司るＣＰＵ１、メインメモリとして機能するとともにＣＰＵ１のワークエリアを提供するＲＡＭ２、ブートプログラムなどの固定的なプログラムやデータを記憶しているＲＯＭ３をはじめ、以下の構成を備える。
【００４０】
４は地上波デジタルラジオ放送を受信するチューナであり、第２アンテナ４３０を介して受信したＯＦＤＭ放送波を復調する。５はＷ−ＣＤＭＡ無線ユニットであり、第１アンテナ４２０を介して基地局３０１とＷ−ＣＤＭＡ方式にて無線送受信を行う。６は操作ユニットであり、たとえば液晶ディスプレイで構成された表示部を有し、そこにタッチパネルが構成される。
【００４１】
７はハードディスクドライブ（ＨＤＤ）であり、図示の如く、ここに制御プログラム７ａ、ライブラリ情報７ｂ、コンテンツデータベース（ＤＢ）７ｃが記憶されている。コンテンツＤＢ７ｃには、それぞれが相異なる暗号鍵で暗号化された多数の楽曲コンテンツ（音楽データ）がプリインストールされている。また、ライブラリ情報７ｂは、コンテンツＤＢ７ｃに記憶されている各コンテンツに関する情報を記述したものである。
【００４２】
図３に、コンテンツＤＢ７ｃのデータ構造例を示す。同図に示されるように、コンテンツＤＢには、コンテンツを特定するコンテンツＩＤとコンテンツデータとがそれぞれ対応付けられて記憶されている。なお、各コンテンツデータはたとえば、MPEG2 AAC (MPEG2 Advanced Audio Coding) などの所定の符号化方式により符号化され、その後、コンテンツデータごとに異なる暗号鍵で暗号化されたデータである。したがって、各コンテンツは、そのコンテンツの暗号化に使用された暗号鍵に対応する復号鍵を取得し復号化を行わなければ聴くことはできない。ただし本実施形態では、試聴を可能にするために、曲の冒頭から所定時間分（たとえば３０秒間）のデータについては暗号化されないこととする。
【００４３】
また、図４に、ライブラリ情報７ｂのデータ構造例を示す。図４におけるコンテンツＩＤは、図３におけるそれと同じものを示している。そして、図４に示されるように、それぞれのコンテンツＩＤごとに、ライブラリ情報として、たとえば、曲名、アーティスト、アルバム、ジャンル、利用タイプ、復号鍵、鍵取得日時、再生回数が記録されている。ここで、「利用タイプ」は著作権管理情報であり、対応するコンテンツの再生の制限を規定する。本実施形態における利用タイプにはたとえば次のものがある。
（ａ）試聴タイプ ：暗号化されていない冒頭部分のみ再生可能。
（ｂ）１日タイプ ：復号鍵取得後、１日間だけ再生可能。
（ｃ）１週間タイプ：復号鍵取得後、７日間だけ再生可能。
（ｄ）１カ月タイプ：復号鍵取得後、３０日間だけ再生可能。
（ｅ）永久タイプ ：復号鍵取得後、制限なく再生可能。
【００４４】
なお、上記の利用タイプ、復号鍵、鍵取得日時、再生回数についてはそれぞれ、プリインストール時に所定の初期値が設定されている。図４はその初期設定時を示しており、たとえば利用タイプには初期値として試聴タイプが設定されている。また、復号鍵の初期値は、たとえば0xffffに設定されており、この値を見ることで復号鍵は取得済みかどうかを容易に判断できるようになっている。
【００４５】
図２に説明を戻す。
【００４６】
図２に示されるように、車載機４１０はＤＳＰ（Digital Signal Processor）８を備えている。このＤＳＰ８では主に、オーディオデコード（暗号復号化を含む）や後述する放送再生制御に係る演算を行い、リアルタイム処理を実現している。
【００４７】
９はＣＤ−ＲＯＭリーダであり、新曲データが記録されたＣＤ−ＲＯＭをここで読み込んで、コンテンツＤＢ７ｃに追加することが可能になっている。
【００４８】
１０は、チューナ４でＯＦＤＭ復調されたラジオ放送データやＤＳＰ８にてオーディオデコードされたオーディオデータをアナログ信号に変換するＤ／Ａコンバータ（ＤＡＣ）、１１はＤＡＣ１０の出力を放音するスピーカである。
【００４９】
本実施形態における車載機４１０の構成は以上のようなものであるが、この車載機４１０はカーナビゲーション装置に組み込まれていてもよい。
【００５０】
図５は、コンテンツサーバ２１０の構成を示すブロック図である。
【００５１】
コンテンツサーバ２１０は、図示の如く、このサーバ全体の制御を司るＣＰＵ２１、メインメモリとして機能するとともにＣＰＵ２１のワークエリアを提供するＲＡＭ２２、ブートプログラムなどの固定的なプログラムやデータを記憶しているＲＯＭ２３をはじめ、以下の構成を備える。
【００５２】
２４はキーボードやマウスなどで構成される操作ユニットである。２５は移動通信網３００と接続し通信を行うための通信ユニットである。２６ａおよび２６ｂはそれぞれ、放送局サーバ１０１および課金サーバ２５０と専用線で接続を行うためのインタフェース（Ｉ／Ｆ）である。
【００５３】
２７はハードディスクドライブ（ＨＤＤ）であり、図示しないＯＳをはじめ、コンテンツサーバの機能を実現するためのコンテンツサーバ管理プログラム２７ａ、電子番組ガイド（ＥＰＧ： Electronic Program Guide）データ２７ｂ、配信履歴２７ｃ、復号鍵ＤＢ２７ｄ、そしてコンテンツＤＢ２７ｅをそれぞれ記憶している。コンテンツＤＢ２７ｅは、車載機４１０におけるコンテンツＤＢ７ｃと同様のデータ構造を有するが、このコンテンツＤＢ２７ｅには常に最新の曲で更新されていくので、内容は異なる場合がある。
【００５４】
このコンテンツサーバ２１０は、コンテンツＤＢ２７ｅに含まれているコンテンツ自体を移動通信網３００を介して車載機４１０に配信することはしない。そのかわり、後述するように、車載機４１０からの復号鍵配信要求に応答して、復号鍵ＤＢ２７ｄに記憶されている復号鍵を、移動通信網３００を介して車載機４１０に配信する。
【００５５】
また、２８はＣＤ−ＲＯＭリーダ／ライタであり、車載機４１０におけるＣＤ−ＲＯＭリーダ９で読み取り可能なフォーマットで新曲データ群をＣＤ−ＲＯＭに書き込むことができる。
【００５６】
図６は、ＥＰＧデータのデータ構造例を示す図である。
【００５７】
図示のように、ＥＰＧデータは、番組を識別する番組ＩＤごとに、チャンネル、放送日、開始時刻、終了時刻、タイトルのデータフィールドを含む。また、タイトルのサブデータとして、当該番組でオンエアされる曲名が、そのオンエア開始及び終了時刻とともに記録されている。車載機４１０では、操作ユニット６で所定のＥＰＧ表示操作を行うことで、ＥＰＧデータをコンテンツサーバ２１０より移動通信網３００を介して取得し、表示部にＥＰＧを表示することができる。さらに、その表示されたＥＰＧから任意のタイトルの選択操作を行うと、上記したサブデータの内容を表示することができる。
【００５８】
なお、ＥＰＧデータは地上波デジタルラジオ放送に乗せて取得するように構成してもよい。たとえば、コンテンツサーバ２１０において作成されたＥＰＧデータ２７ｂは更新される都度、放送局サーバ１０１に送られる。放送局サーバ１０１では、このＥＰＧデータ２７ｂを管理データに含め、ＭＰＥＧ２トランスポートストリーム（MPEG-2 TS）に多重化して放送する。車載機４１０では、操作ユニット６でＥＰＧ表示用の所定のチャネル操作を行うことにより、その表示部にＥＰＧを表示することができる。
【００５９】
図７は、配信履歴２７ｃのデータ構造例を示す図である。
【００６０】
コンテンツサーバ２１０は、復号鍵の配信を行う都度、この配信履歴２７ｃにその配信に関する情報を追記していく。その情報としては、同図に示されるように、復号鍵配信先の移動局ＩＤ、配信した復号鍵に対応するコンテンツＩＤ、利用タイプ、配信日時がある。また、追記された情報は、課金サーバ２５０にも送信される。
【００６１】
図８は、復号鍵ＤＢ２７ｄのデータ構造例を示す図である。
【００６２】
この復号鍵ＤＢ２７ｄには、コンテンツＤＢ２７に登録されているコンテンツＩＤごとに、対応するコンテンツデータを復号するための復号鍵が記憶されている。
【００６３】
図９は、課金サーバ２５０の構成を示すブロック図である。
【００６４】
課金サーバ２５０は、図示の如く、このサーバ全体の制御を司るＣＰＵ３１、メインメモリとして機能するとともにＣＰＵ３１のワークエリアを提供するＲＡＭ３２、ブートプログラムなどの固定的なプログラムやデータを記憶しているＲＯＭ３３をはじめ、以下の構成を備える。
【００６５】
３４はキーボードやマウスなどで構成される操作ユニットである。３５はコンテンツサーバ２１０と専用線で接続を行うためのインタフェース（Ｉ／Ｆ）である。３６はハードディスクドライブ（ＨＤＤ）であり、図示しないＯＳをはじめ、課金サーバの機能を実現するための課金サーバ管理プログラム３６ａおよび課金情報ＤＢ３６ｂを記憶している。課金情報ＤＢ３６ｂは、コンテンツサーバ２１０の音楽配信サービスを受ける移動局（車載機）ごとに課金データを記憶している。たとえば、コンテンツサーバ２１０から配信履歴の追記分のデータを受信すると、その移動局の課金データに、利用タイプに応じた料金を加算する。
【００６６】
本実施形態における情報再生システムの構成は概ね上記のとおりである。
【００６７】
なお、上記したとおりコンテンツサーバ２１０のコンテンツＤＢ２７ｅは最新の曲でもって常に更新されうるが、放送局サーバ１０１も同一内容のコンテンツＤＢ（図示省略）を備えている。つまり、放送局サーバ１０１は、コンテンツサーバ２１０のコンテンツＤＢ２７ｅと連動して更新されるコンテンツＤＢを備える。たとえば、コンテンツサーバ２１０のコンテンツＤＢ２７ｅが更新されると、その更新内容は専用線を介して放送局サーバ１０１に送信されて、放送局サーバ１０１のコンテンツＤＢも同様に更新される。
【００６８】
また、本実施形態では、コンテンツサーバ２１０と課金サーバ２５０とは別々のハードウェアで構成したが、１つのサーバで実現することも可能である。さらには、放送局１００とコンテンツプロバイダ２００が同一事業者によって運営される場合には、これらのコンテンツサーバ２１０や課金サーバ２５０は、放送局１００内に構築されていてもよい。
【００６９】
以下、本実施形態における情報再生システムの動作を説明する。
【００７０】
まず、図１０、１１を参照して、本実施形態の基本的な動作シーケンスを説明する。
【００７１】
図１０は、車載機４１０のコンテンツ聴取モードでのコンテンツ試聴〜購入の場面に係る動作シーケンスである。
【００７２】
車載機４１０では、ユーザは、操作ユニット６を介してコンテンツＤＢ７ｃから曲を選択し試聴操作を行う（ステップＳ１）。前述のとおり、曲の冒頭から所定時間（たとえば３０秒間）は復号鍵を取得することなく試聴することができる。ユーザがその曲の購入を希望する場合には、利用タイプの選択を含む購入操作を行う（ステップＳ２）。車載機４１０はこれに応じて、移動局ＩＤ、コンテンツＩＤ、利用タイプを含む復号鍵配信要求メッセージをコンテンツサーバ２１０に対して発行する（ステップＳ３）。
【００７３】
コンテンツサーバ２１０は、この復号鍵配信要求メッセージを受信すると、それに含まれる移動局ＩＤを基に認証を行う（ステップＳ４）。この認証が成功すると、復号鍵ＤＢ２７ｄから当該メッセージに含まれているコンテンツＩＤに対応する復号鍵コードを選択して、これを、コンテンツＩＤおよび利用タイプ情報とともに復号鍵メッセージに含めて車載機４１０に配信する（ステップＳ５）。また、このときコンテンツサーバ２１０は配信履歴２７ｃの更新も行うとともに（ステップＳ６）、配信履歴更新データを課金サーバ２５０に送信する（ステップＳ７）。課金サーバ２５０は、配信履歴更新データを受信すると、課金情報ＤＢ３６ｂを更新する。そして車載機４１０は、コンテンツサーバ２１０から復号鍵メッセージを受信すると、そこに含まれる情報でライブラリ情報７ｂを更新する。
【００７４】
図１１は、車載機４１０のラジオ受信モードでのＥＰＧ取得に係る動作シーケンスを示している。
【００７５】
車載機４１０において、ラジオ受信中、ユーザが操作ユニット６を介してＥＰＧ表示操作を行うと（ステップＳ１０）、車載機４１０はこれに応じて、移動局ＩＤを含むＥＰＧ配信要求メッセージをコンテンツサーバ２１０に対して発行する（ステップＳ１１）。
【００７６】
コンテンツサーバ２１０は、このＥＰＧ配信要求メッセージを受信すると、それに含まれる移動局ＩＤを基に認証を行う（ステップＳ１２）。この認証が成功すると、ＥＰＧデータ２７ｂを車載機４１０に配信する（ステップＳ１３）。これを受け取った車載機４１０は、そのＥＰＧを操作ユニット６の表示部に表示する（ステップＳ１４）。
【００７７】
図１２は、ラジオ受信コンテンツ利用モードにおける動作を示すシーケンス図である。この動作モードは、車載機４１０においてユーザがラジオ受信中に、所定のラジオ受信コンテンツ利用モード選択操作を行ったときにスタートする。
【００７８】
まず、車載機４１０は、移動局ＩＤを含むＥＰＧ配信要求メッセージをコンテンツサーバ２１０に対して発行する（ステップＳ１７）。コンテンツサーバ２１０は、このＥＰＧ配信要求メッセージを受信すると、それに含まれる移動局ＩＤを基に認証を行う（ステップＳ１８）。この認証が成功すると、たとえば現時点から２４時間分のＥＰＧデータ２７ｂを車載機４１０に配信する（ステップＳ１９）。
【００７９】
車載機４１０は、受信したＥＰＧに記述されている曲名でコンテンツＤＢ７ｃを検索する（ステップＳ２０）。そして、ライブラリ情報７ｂを参照して、検索された楽曲のうち、復号鍵を未取得のものを選択する（ステップＳ２１）。図４に示したように、利用タイプが試聴タイプであれば復号鍵は未取得であると判断できる。あるいは、復号鍵が初期値の0xffffであれば、やはり復号鍵は未取得であると判断できる。そして、復号鍵を未取得のコンテンツについて、復号鍵配信要求メッセージをコンテンツサーバ２１０に対して発行する（ステップＳ２２）。このとき、復号鍵配信要求メッセージに含める利用タイプはたとえば１日タイプとする。
【００８０】
コンテンツサーバ２１０は、この復号鍵配信要求メッセージを受信すると、それに含まれる移動局ＩＤを基に認証を行い（ステップＳ２３）、この認証が成功した場合には、対応する復号鍵を車載機４１０に配信する（ステップＳ２４）。
【００８１】
その後、ステップＳ２１で選択された復号鍵未取得の曲がオンエアされる放送番組を受信する（ステップＳ２５）。続くステップＳ２６では、復号鍵未取得の曲のオンエア予定時刻（図６のサブデータにおける開始時刻）（またはそれより所定時間前の時刻）になったかをチェックしている。そしてその時刻がくると、ステップＳ２７に進み、ステップＳ２１で選択されたコンテンツを、ステップＳ２４で受信した復号鍵を用いて復号化するとともにMPEGデコードを行って再生する。つまり、このときはラジオ放送の曲を流すかわりに、コンテンツＤＢ７ｃの曲をデコード・再生するわけである。コンテンツＤＢ７ｃから曲を再生する場合には、ラジオ放送のように受信感度低下などに起因する音質の劣化を心配する必要はない。また、これによりコンテンツＤＢ７ｃ内のコンテンツの有効利用が図られるという効果もある。
【００８２】
ステップＳ２８では、ステップＳ２７でのコンテンツの再生に応じて、ライブラリ情報７ｂの更新（再生回数のインクリメント）も行う。こうしてステップＳ２７のコンテンツの再生が終了すると、再び当該ラジオ番組を流す。また、ステップＳ２１で選択された曲のうち、これ以降にオンエアが予定されているものがある場合（ステップＳ２９、Ｙｅｓ）には、ステップＳ２６に戻って処理を繰り返す。
【００８３】
なお、上述の例では、ステップＳ２４で配信される復号鍵の利用タイプは１日タイプである。これは、その後、ユーザがその曲の購入を本当に希望するかどうかは分からないからである。そこで、ユーザがその曲の購入を希望する場合には、その曲の再生中に、更に長期間の利用タイプでの購入操作を行うことが可能に構成されていることが好ましい。これによりたとえば、放送番組によって知ることができた新曲の購入をいち早いタイミングで、試聴しながら決定することができる。
【００８４】
ところで、ステップＳ２６やステップＳ２９でのオンエア予定時刻到来のチェックをコンテンツサーバ２１０に行わせる構成をとることも可能である。この構成を採用した場合のシーケンス図を図１３に示す。各処理ステップの内容自体は図１２のものと同様であるから、同じ処理ステップには同じ参照番号を付してある。図１３との違いは、ステップＳ２２の復号鍵配信要求メッセージを受信し、ステップＳ２３での認証処理を終えたコンテンツサーバ２１０が、ステップＳ２６およびステップＳ２９のオンエア予定時刻到来のチェックを行う点である。ステップＳ２６において、復号鍵未取得の曲のオンエア予定時刻（またはそれより所定時間前の時刻）が到来すると、コンテンツサーバ２１０は車載機４１０に対して復号鍵を発行する。そして、これを受信した車載機４１０は直ちにその復号鍵を用いてステップＳ２１で選択されたコンテンツを復号化するとともにMPEGデコードを行って再生する。コンテンツサーバ２１０は、ステップＳ２１で選択された曲のうち、これ以降にオンエアが予定されているものがある場合（ステップＳ２９、Ｙｅｓ）には、ステップＳ２６に戻って処理を繰り返す。
【００８５】
この処理形態によれば、ラジオ放送での曲のオンエア時刻に同期してコンテンツサーバ２１０から復号鍵が送付されてくるので、車載機４１０はラジオ放送の曲を流すかわりにコンテンツＤＢ７ｃの曲をデコード・再生することができる。これによっても高音質の再生を提供することができる。
【００８６】
なお、上述の実施形態において、ステップＳ１９では、現時点から２４時間分のＥＰＧデータ２７ｂを車載機４１０に配信するようにしたが、より長期間分（現時点から一日以上先までの分、たとえば一週間分）ＥＰＧデータをまとめて配信するようにしてもよい。これによっても同様の効果を得ることができる。また、車載機４１０はこの長期間のＥＰＧデータをまとめて受信することによって、再度、ラジオ受信コンテンツ利用モードが実行された際に、ステップＳ２２の復号鍵配信要求処理を省くことが可能になる。
【００８７】
また、コンテンツサーバ２１０は、ステップＳ２４において復号鍵を移動通信網３００を介して車載機４１０にオンライン配信するのではなく、ＣＤ−ＲＯＭリーダ／ライタ２８を利用してＣＤ−ＲＯＭに復号鍵を記録し、オフラインにて車載機４１０（またはそのユーザの住所）に届けるようにしてもよい。たとえば上述の、より長期間分（たとえば一週間分）ＥＰＧデータをまとめて配信するような場合に有用である。
【００８８】
ところで、上述の実施形態では、ステップＳ２０において、ＥＰＧに記述されている曲がコンテンツＤＢ７ｃに存在しない場合には、その曲については通常どおりラジオ放送によって流すことになる。ただしこれは、そのラジオ放送のオンエア前に、新曲としてコンテンツＤＢ７ｃに追加し、そのラジオ放送のオンエアに合わせて、コンテンツＤＢ７ｃからその曲を再生するようにしてもよい。その際、その新曲は地上波デジタル放送波に乗せて供給されるようにしてもよいし、曲数が少ないなどデータ量によっては移動通信網３００を介して供給を受けるようにしてもよい。あるいはオフラインでＣＤ−ＲＯＭによる提供を受けてもよい。なおそれらのオプションはユーザが選択できるように構成されていることが望ましい。
【００８９】
ただし、こうしてコンテンツＤＢ７ｃに新曲が追加されていく場合には、ＨＤＤ７の容量不足に対処することが必要になる。この対処法の一つとして、たとえば、ＨＤＤ７の記憶可能残量が所定値以下となった場合には、ユーザに警告表示を行うと共に、ライブラリ情報７ｂ（図４を参照）の再生回数をチェックし、再生回数が所定のしきい値に満たないコンテンツについては、それらを削除するようにするとよい。
【００９０】
上述の説明では好適な実施形態として、車載機が楽曲の復号鍵を未取得であるものを検索し、検索された楽曲コンテンツの復号鍵の配信をコンテンツサーバに要求するようにした。しかし、この検索および要求は必須のものではなく、車載機がその楽曲の復号鍵を取得しているか否かに拘わらず、ＥＰＧデータの車載機への配信時あるいは放送番組のオンエア等に合わせてその楽曲の復号鍵を車載機に配信するようにしてもよい。また、復号鍵の利用タイプとしてオンエアされる期間中のみ再生可能なものとするようにしてもよい。
【００９１】
また、上述の実施形態におけるラジオ放送は有料放送であってもよいし、無料放送であってもよい。無料放送とする場合は、例えば、図６に示すＥＰＧデータに広告データを追加して配信することが考えられ、楽曲データと並列に広告データを追加して楽曲を聞きながら液晶ディスプレイ（カーナビゲーション画面等）に広告画面を表示したり、あるいは、曲間に音声による広告データを挿入して楽曲を聴く間に広告を流すようにしてもよい。
【００９２】
また、上述の実施形態では、自動車の車載機にて楽曲コンテンツを再生するものを例示したが、自動車の車載機に限らず、鉄道、船舶、航空機等の移動局に適用したり、または、自宅や店舗等の固定施設、あるいは、携帯電話や携帯音響機器等の携帯端末に適用することも考えられる。更に提供するコンテンツとしては、楽曲に限らず映像等の他のコンテンツであってもよい。
【図面の簡単な説明】
【００９３】
【図１】実施形態に係る情報再生システムの全体構成を示す図である。
【図２】実施形態における車載機の構成を示すブロック図である。
【図３】実施形態におけるコンテンツＤＢのデータ構造例を示す図である。
【図４】実施形態におけるライブラリ情報のデータ構造例を示す図である。
【図５】実施形態におけるコンテンツサーバの構成を示すブロック図である。
【図６】実施形態におけるＥＰＧデータのデータ構造例を示す図である。
【図７】実施形態における配信履歴のデータ構造例を示す図である。
【図８】実施形態における復号鍵ＤＢのデータ構造例を示す図である。
【図９】実施形態における課金サーバの構成を示すブロック図である。
【図１０】実施形態における車載機のコンテンツ聴取モードでのコンテンツ試聴〜購入の場面に係る動作を示すシーケンス図である。
【図１１】実施形態における車載機のラジオ受信モードでのＥＰＧ取得に係る動作を示すシーケンス図である。
【図１２】実施形態におけるラジオ受信コンテンツ利用モードにおける動作を示すシーケンス図である。
【図１３】図１２に示した動作の変形例を示すシーケンス図である。
【符号の説明】
【００９４】
１００：放送局
１０１：放送局サーバ
１０２：放送アンテナ
２００：コンテンツプロバイダ
２１０：コンテンツサーバ
２５０：課金サーバ
３００：移動通信網
３０１：基地局
４００：自動車
４１０：車載機（移動局）
４２０：第１アンテナ
４３０：第２アンテナ
【図１】
0004742951.tif 000002
【図２】
0004742951.tif 000003
【図３】
0004742951.tif 000004
【図４】
0004742951.tif 000005
【図５】
0004742951.tif 000006
【図６】
0004742951.tif 000007
【図７】
0004742951.tif 000008
【図８】
0004742951.tif 000009
【図９】
0004742951.tif 000010
【図１０】
0004742951.tif 000011
【図１１】
0004742951.tif 000012
【図１２】
0004742951.tif 000013
【図１３】
0004742951.tif 000014